(57)【要約】【課題】包装体から、内部の被包装体の一つを取り出すときに、簡単かつ容易に樹脂フィルムの所定個所を切断・分離でき、被包装体を取り出すことができる包装体とその製造方法を提供する。【解決手段】樹脂フィルム４により、複数の被包装体２が一体的に包装された包装体１であって、樹脂フィルム４の外側に、樹脂フィルム４を切断・分離するための開封用テープ３が接着されてなる。【選択図】図１
2008239222.tif 000002
【特許請求の範囲】
【請求項１】
樹脂フィルムにより、複数の被包装体が一体的に包装された包装体であって、
前記樹脂フィルムの外側に、前記樹脂フィルムを切断・分離するための開封用テープが接着されてなる、包装体。
【請求項２】
前記樹脂フィルムへの前記開封用テープの接着が、断続的な熱融着によりなされたものである請求項１記載の包装体。
【請求項３】
前記樹脂フィルムが熱収縮性フィルムである請求項１又は２に記載の包装体。
【請求項４】
前記開封用テープの材質が、前記樹脂フィルムと同一である請求項１〜３のいずれか１項に記載の包装体。
【請求項５】
前記開封用テープの材質が、前記樹脂フィルムと異なったものである請求項１〜３のいずれか１項に記載の包装体。
【請求項６】
樹脂フィルムにより、複数の被包装体を一体的に包装する包装体の製造方法であって、
前記樹脂フィルムを送り出すとともに、前記樹脂フィルムの送り出し速度に同期して、開封用テープを送り出し、次いで前記樹脂フィルムに前記開封用テープを重ね合わせた後、前記樹脂フィルムと前記開封用テープを接着して、開封用テープ付き樹脂フィルムを得、
得られた開封用テープ付き樹脂フィルムにより、開封用テープ接着側を外側にして複数の被包装体を一体的に包装する、包装体の製造方法。
【請求項７】
前記樹脂フィルムへの前記開封用テープの接着を、断続的な熱融着により行う請求項６記載の包装体の製造方法。
【請求項８】
前記樹脂フィルムが熱収縮性フィルムである請求項６又は７に記載の包装体の製造方法。
【発明の詳細な説明】
【技術分野】
【０００１】
本発明は、樹脂フィルムにより、複数の被包装体が一体的に包装された包装体及びその製造方法に関するものである。より具体的には、樹脂フィルムの内側に、樹脂フィルムを切断・分離するための開封用テープを接着してなる包装体とその製造方法に関するものである。
【背景技術】
【０００２】
一般に、ロール状衛生用紙（トイレットペーパー、キッチンペーパー、タオルペーパー、クッキングシート等）、カートン入り衛生用紙（ティシュペーパー等）、生理用ナプキン、使い捨ておむつ等の使い捨て紙製品は、複数のロール、カートン等が樹脂フィルムなどの包装フィルムにより一体的に包装された状態の包装体として市販されている（例えば、特許文献１を参照）。
【０００３】
このような複数の被包装体（使い捨て紙製品等）が一体的に包装された包装体から、内部の被包装体の一つを取り出そうとすると、通常の包装体においてはその取り出し個所が不明であり、包装フィルムの所定個所を力まかせに切断、破断して取り出す必要があった。
【０００４】
そこで、包装フィルムにミシン目の開封手段や開封用の延長代を設けて内部の被包装体を容易に取り出せるようにした包装体が提案されており（特許文献２、３を参照）、また、包装フィルムの全周にわたって切離し用テープを内側に設けた包装パックも提案されている（特許文献４を参照）。
【０００５】
【特許文献１】登録実用新案第３１２４８１１号公報
【特許文献２】特開２００４−１８０２号公報
【特許文献３】特開２００２−３４７８３６号公報
【特許文献４】特開２００３−３４１７２４号公報
【発明の開示】
【発明が解決しようとする課題】
【０００６】
しかしながら、包装フィルムにミシン目の開封手段を設けた場合には運搬中に破れる等の不具合があり、特許文献３に示すような開封用の延長代を設ける技術はその構造が複雑になり、さらに、切離し用テープを内側に設けた包装パックでは、切離し用テープの先端部が何処であるかを明確にするため、包装フィルムに略コの字状に切り込みを施して切離し用テープの先端部にツマミを形成することが必要であった。
【０００７】
本発明は、このような従来技術の課題を解決するためになされたものであって、包装体から、内部の被包装体の一つを取り出すときに、簡単かつ容易に樹脂フィルムの所定個所を切断・分離でき、被包装体を取り出すことができる包装体とその製造方法を提供するものである。
【課題を解決するための手段】
【０００８】
本発明者は、前記のような従来技術の課題を解決するために鋭意検討した結果、樹脂フィルムの外側に、樹脂フィルムを切断・分離するための開封用テープを接着することにより、上記課題が解決されることに想到し、本発明を完成させた。
【０００９】
本発明によれば、樹脂フィルムにより、複数の被包装体が一体的に包装された包装体であって、前記樹脂フィルムの外側に、前記樹脂フィルムを切断・分離するための開封用テープが接着されてなる、包装体が提供される。
【００１０】
また、本発明によれば、樹脂フィルムにより、複数の被包装体を一体的に包装する包装体の製造方法であって、前記樹脂フィルムを送り出すとともに、前記樹脂フィルムの送り出し速度に同期して、開封用テープを送り出し、次いで前記樹脂フィルムに前記開封用テープを重ね合わせた後、前記樹脂フィルムと前記開封用テープを接着して、開封用テープ付き樹脂フィルムを得、得られた開封用テープ付き樹脂フィルムにより、開封用テープ接着側を外側にして複数の被包装体を一体的に包装する、包装体の製造方法が提供される。
【００１１】
本発明においては、前記樹脂フィルムへの前記開封用テープの接着が、断続的な熱融着によりなされることが好ましい。また、本発明において、前記樹脂フィルムの材質が熱収縮性フィルムであることが望ましく、前記開封用テープの材質が、前記樹脂フィルムと同一であっても、異なってもよい。
【発明の効果】
【００１２】
本発明の包装体によれば、包装体から、内部の被包装体の一つを取り出すときに、簡単かつ容易に樹脂フィルムの所定個所を切断・分離でき、被包装体を取り出すことができる、という顕著な効果を奏する。また、樹脂フィルムの外側に開封用テープを設けているので、使用者は開封用テープ先端部の位置を明確に理解できる。
【００１３】
本発明に係る包装体の製造方法によれば、簡単かつ容易に樹脂フィルムの所定個所を切断・分離して包装体を開封することができ、被包装体を取り出すことが可能な包装体を製造することができる。
【発明を実施するための最良の形態】
【００１４】
以下、本発明の実施の形態について説明するが、本発明は以下の実施の形態に限定されるものではなく、発明の範囲を逸脱しない限りにおいて、変更、修正、改良を加え得るものである。
【００１５】
［本発明に係る包装体］
図１は、本発明に係る包装体の一実施例を示す斜視図である。包装体１は、樹脂フィルム４により、複数の被包装体２が一体的に包装されて構成されている。樹脂フィルム４は、その外側に、樹脂フィルム４を切断・分離するための開封用テープ３を接着してなるものである。そして、包装体１においては、複数の被包装体２の積重ね方向（Ｘ方向）に対して直角の方向に開封用テープ３が包装体１を一回り（周回）するように形成されている。このことにより、使用者は開封用テープ３の部分から樹脂フィルム４を容易に切断・分離して包装体１を開封し、１個づつ被包装体２を取り出し易い。
【００１６】
樹脂フィルム４の外側、すなわち、複数のロール、カートン等の被包装体２を包含する外周側に接着する開封用テープ３は、使用者が被包装体２の一部を取り出そうとする際に、この開封用テープ３に沿って樹脂フィルム４が簡単かつ容易に切断・分離されるように機能するものであるから、開封用テープ３は長手方向に所定以上の引張強度を有するが、短手方向（幅方向）には所定の引張力により引き裂かれる程度の低い引張強度を有する樹脂製フィルムから構成されたものが好ましい。
【００１７】
また、樹脂フィルム４は、開封用テープ３の接着方向に沿って切断・分離し易いように、開封用テープ３の接着方向には所定以上の引張強度を有するが、接着方向と直角方向には低い引張強度を有するものが好ましい。樹脂フィルム４への開封用テープ３の接着は、点状やミシン目状など断続的に熱融着することによりなされたものであることが好ましい。連続的に融着した場合、樹脂フィルム４と開封用テープ３との融着力を適切に調整することが困難となる。すなわち、樹脂フィルム４と開封用テープ３との融着力が強くなり過ぎると、開封時に開封用テープ３が切れてしまい、一方、弱過ぎると、開封用テープ３のみが外れて開封できなくなる。本発明のように、断続的に熱融着することにより、融着力の微妙な調整を行うことなく、容易に開封用テープ３を接着することができる。
【００１８】
さらに、包装体１の外周面には、開封用テープ３の端部が使用者に明確にわかるように、印刷にて表示を施すことや、開封用テープ３の端部に切れ目を挿入しておくことが好ましい。
【００１９】
本発明において、「樹脂フィルム」の材質について特に制限はなく、通常、包装袋に使用される低密度ポリエチレン、無延伸ポリプロピレン、高密度ポリエチレン、延伸ポリプロピレン等の樹脂を用いることができる。中でも、延伸性や強度の面で、高密度ポリエチレン、延伸ポリプロピレンが好ましい。これらの高密度ポリエチレン、延伸ポリプロピレンは熱収縮性フィルムであり、この熱収縮性フィルムにより複数の被包装体３をキャラメル包装した後、加熱することによりフィルムが熱収縮して被包装体３を適切に包装することができる。フィルムの厚さは、被包装体の種類や重量によっても異なるが、ティシュカートンを被包装体とする場合には、フィルムの厚さを１０〜３５μｍとすることが好ましい。また、トイレットペーパーのようなロール状衛生用紙の包装にはガセットチューブが利用されることが多い。この場合には、フィルムの厚さを５０〜１１０μｍとすることが好ましく、６５〜９０μｍとすることが更に好ましい。
【００２０】
本発明で、「開封用テープ」の材質についても特に制限はないが、上記「樹脂フィルム」と同様の材質を用いることができ、低密度ポリエチレン、無延伸ポリプロピレン、高密度ポリエチレン、延伸ポリプロピレン等の樹脂を用いることができる。中でも、延伸性や強度の面で、高密度ポリエチレン、延伸ポリプロピレンが好ましい。開封用テープは、樹脂フィルムと同じ材質でもよいが、異なった材質でもよい。開封用テープの厚さは、樹脂フィルムと同じく、ティシュカートンを被包装体とする場合には、１０〜３５μｍとすることが好ましい。また、トイレットペーパーのようなロール状衛生用紙の包装の場合には、フィルムの厚さを５０〜１１０μｍとすることが好ましく、６５〜９０μｍとすることが更に好ましい。開封用テープの幅は、通常０．５〜５ｍｍの範囲であるが、１〜３ｍｍであるのが好ましい。
【００２１】
「被包装体」についても特に制限はないが、「被包装体」の例としては、使い捨て紙製品、より具体的には、ロール状衛生用紙（トイレットペーパー、キッチンペーパー、タオルペーパー、クッキングシート等）、カートン入り衛生用紙（ティシュペーパー等）、生理用ナプキン、使い捨ておむつ等を挙げることができる。
【００２２】
［包装体の製造方法］
図２は、本発明に係る包装体の製造方法の一実施例を示す説明図である。樹脂フィルム１１が巻回されているローラ１０から樹脂フィルム１１を送り出すとともに、別個に開封用テープ１２が巻回されているローラ１３から、前記樹脂フィルム１１の送り出し速度に同期して開封用テープ１２を送り出す。次いで前記樹脂フィルム１１に開封用テープ１２を重ね合わせた後、樹脂フィルム１１と開封用テープ１２を一対の加熱ローラ１４ａ，１４ｂにて挟み、点状やミシン目状などに断続的に熱融着することにより接着して、開封用テープ付き樹脂フィルム１５を得る。次に、得られた開封用テープ付き樹脂フィルム１５により、開封用テープ接着側を外側にして複数の被包装体１６を、例えばキャラメル包装などにより一体的に包装して、包装体１８を製造することができる。なお、被包装体１６の積重ね方向の端面１９には、運搬用の帯状の把手２０が固着されている。把手の固着方法としては、例えば、ヒートシール、超音波溶着、接着剤による接着等従来公知の方法を用いればよい。
【００２３】
また、樹脂フィルム１１と開封用テープ１２の断続的な熱融着は、一対の加熱ローラ１４ａ，１４ｂのいずれか一方又は両方の表面を歯車状に形成し加熱ローラ１４ａ，１４ｂを加熱し、樹脂フィルム１１と開封用テープ１２の重ね合わせ部を挟み押圧しながら回転させることで達成することができる。
【００２４】
ローラ１０から樹脂フィルム１１を送り出す送出速度は、開封用テープ１２の送出速度と同期しており(同じ送出速度であり)、具体的には、約１〜１２０ｍ／分が好ましく、約３０〜４０ｍ／分であることがさらに好ましい。
【００２５】
被包装体１６を一体的に包装するに際しては、得られる包装体１８において、被包装体１６の積重ね方向に対して直角の方向に開封用テープ１２が包装体１８を周回するように包装することが好ましい。このことにより、使用者は開封用テープ１２の部分から樹脂フィルム１１を切断・分離して包装体１８を開封し、１個づつ被包装体１６を取り出し易くなる。
【産業上の利用可能性】
【００２６】
本発明の包装体は、例えば、ロール状衛生用紙（トイレットペーパー、キッチンペーパー、タオルペーパー、クッキングシート等）、カートン入り衛生用紙（ティシュペーパー等）、生理用ナプキン、使い捨ておむつ等の使い捨て紙製品を被包装体とする包装体として特に好適に用いることができる。
【図面の簡単な説明】
【００２７】
【図１】本発明に係る包装体の一実施例を示す斜視図である。
【図２】本発明に係る包装体の製造方法の一実施例を示す説明図である。
【符号の説明】
【００２８】
１：包装体、２：被包装体、３：開封用テープ、４：樹脂フィルム、１０：ローラ、１１：樹脂フィルム、１２：開封用テープ、１３：ローラ、１４ａ，１４ｂ：一対の加熱ローラ、１５：開封用テープ付き樹脂フィルム、１６：被包装体、１８：包装体、１９：端面、２０：把手。
【図１】
2008239222.tif 000003
【図２】
2008239222.tif 000004
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
樹脂フィルムにより、複数の被包装体が一体的に包装された包装体であって、
前記樹脂フィルムの外側に、前記樹脂フィルムを切断・分離するための開封用テープが接着され、かつ、前記樹脂フィルムへの前記開封用テープの接着が、断続的な熱融着によりなされたものである、包装体。
【請求項２】
前記樹脂フィルムが熱収縮性フィルムである請求項１に記載の包装体。
【請求項３】
前記開封用テープの材質が、前記樹脂フィルムと同一である請求項１又は２に記載の包装体。
【請求項４】
前記開封用テープの材質が、前記樹脂フィルムと異なったものである請求項１又は２に記載の包装体。
【請求項５】
樹脂フィルムにより、複数の被包装体を一体的に包装する包装体の製造方法であって、
前記樹脂フィルムを送り出すとともに、前記樹脂フィルムの送り出し速度に同期して、開封用テープを送り出し、次いで前記樹脂フィルムに前記開封用テープを重ね合わせた後、前記樹脂フィルムと前記開封用テープを断続的な熱融着により接着して、開封用テープ付き樹脂フィルムを得、
得られた開封用テープ付き樹脂フィルムにより、開封用テープ接着側を外側にして複数の被包装体を一体的に包装する、包装体の製造方法。
【請求項６】
前記樹脂フィルムが熱収縮性フィルムである請求項５に記載の包装体の製造方法。
【手続補正２】
【補正対象書類名】明細書
【補正対象項目名】０００９
【補正方法】変更
【補正の内容】
【０００９】
本発明によれば、樹脂フィルムにより、複数の被包装体が一体的に包装された包装体であって、前記樹脂フィルムの外側に、前記樹脂フィルムを切断・分離するための開封用テープが接着され、かつ、前記樹脂フィルムへの前記開封用テープの接着が、断続的な熱融着によりなされたものである、包装体が提供される。
【手続補正３】
【補正対象書類名】明細書
【補正対象項目名】００１０
【補正方法】変更
【補正の内容】
【００１０】
また、本発明によれば、樹脂フィルムにより、複数の被包装体を一体的に包装する包装体の製造方法であって、前記樹脂フィルムを送り出すとともに、前記樹脂フィルムの送り出し速度に同期して、開封用テープを送り出し、次いで前記樹脂フィルムに前記開封用テープを重ね合わせた後、前記樹脂フィルムと前記開封用テープを断続的な熱融着により接着して、開封用テープ付き樹脂フィルムを得、得られた開封用テープ付き樹脂フィルムにより、開封用テープ接着側を外側にして複数の被包装体を一体的に包装する、包装体の製造方法が提供される。
【手続補正４】
【補正対象書類名】明細書
【補正対象項目名】００１１
【補正方法】変更
【補正の内容】
【００１１】
本発明においては、前記樹脂フィルムの材質が熱収縮性フィルムであることが望ましく、前記開封用テープの材質が、前記樹脂フィルムと同一であっても、異なってもよい。